(57)【要約】      （修正有）【課題】陳列用バーに吊り下げている商品の変更や撤去に生じる作業上の負担を効果的に軽減できる商品運搬装置を提供する。【解決手段】一対の棚枠２，２の２本の縦部材２１，２１の間に、水平の横部材２２，２２を設け、この横部材のそれぞれに、上方に開口する凹溝３３を有する一対の受け治具３，３を回動しないように設けることによって、商品を吊り下げたままの状態で陳列用バーを、この一対の受け治具に容易に着脱できる。したがって店員は、商品を吊り下げたままの状態で陳列用バーを、店頭や倉庫等へ移動することができるため、開店中であっても効率的に販売する商品の変更や撤去を行うことができる。【選択図】図１
0003165645.tif 000002
【実用新案登録請求の範囲】
【請求項１】
台座と一対の棚枠と一対の受け治具とを備え、
上記一対の棚枠は、それぞれ上記台座の両端に立設した２本の縦部材と、この２本の縦部材の間に設けた水平の横部材と有し、
上記一対の受け治具は、それぞれ上方に開口する凹溝を有すると共に、上記横部材に回動しないように支持されている
ことを特徴とする商品運搬装置。
【請求項２】
上記一対の受け治具は、それぞれ少なくとも２組からなり、上記受け治具は、それぞれ上記横部材に沿って移動自在である
ことを特徴とする請求項１に記載の商品運搬装置。
【請求項３】
上記受け治具は、上記横部材に嵌めた断面コの字形状の嵌合部と、この嵌合部の側面からそれぞれ内方に突設した２本の突状部とで構成されている
ことを特徴とする請求項１または２のいずれかに記載の商品運搬装置。
【請求項４】
上記一対の棚枠には、この一対の棚枠の間隔を保持する保持部材が設けられている
ことを特徴とする請求項１乃至３のいずれかに記載の商品運搬装置。
【請求項５】
上記台座には、移動用の車輪が設けられている
ことを特徴とする請求項１乃至４のいずれかに記載の商品運搬装置。
【考案の詳細な説明】
【技術分野】
【０００１】
本考案は、例えばスーパーマーケットやドラッグストアーにおいて、商品を複数のフックに吊り下げて販売するための陳列用バーを、商品を吊り下げたままの状態で運搬する商品運搬装置に関する。
【背景技術】
【０００２】
従来から、スーパーマーケットやドラッグストアー等においては、店頭の商品陳列棚に常設した陳列用バーに複数のフックを設け、このフックに小物品やパック品等の商品を吊るして販売していた。この場合、商品を店頭で陳列したり取り替えたりするときには、例えば店員は箱詰めした商品を台車等で販売コーナーまで運び、店頭で上記商品をフックに吊るす作業を行ったり、上記商品をフックから外して新しい商品をフックに吊り直す作業を行ったりしていた。
【考案の概要】
【考案が解決しようとする課題】
【０００３】
しかるに上述した作業を、開店中に行うと非常に効率が悪い。すなわち開店中の店内には、通路を歩いたり立ち止まったりしながら商品を選択する来店者がいるため、箱詰めした商品を積んだ台車が通れる幅を確保し難いばかりでなく、店頭にこのような台車が止まっていると、来店者は商品を選び難く、購買意欲を下げてしまう恐れがある。また店員は、商品の陳列や撤去を行いながら来店者の対応をし難く、接客サービスの質が落ちる。このため上記作業は、来店者がいない閉店後に、派遣社員やアルバイト店員等を多数動員して、限られた時間内で行わざるを得なかった。
【０００４】
そこで本考案の目的は、陳列用バーに商品を吊り下げる作業や、この商品を変更したり撤去したりする作業の効率を向上できる商品運搬装置を提供することにある。
【課題を解決するための手段】
【０００５】
上記課題を解決するために、本考案による商品運搬装置の特徴は、商品を吊り下げたままの状態において、陳列用バーが着脱自在な受け治具を備えることにある。
【０００６】
すなわち、本考案による商品運搬装置は、台座と一対の棚枠と一対の受け治具とを備え、上記一対の棚枠は、それぞれ上記台座の両端に立設した２本の縦部材と、この２本の縦部材の間に設けた水平の横部材と有し、上記一対の受け治具は、それぞれ上方に開口する凹溝を有すると共に、上記横部材に回動しないように支持されている。
【０００７】
吊り下げている商品の重量が嵩むと、陳列用バーの重みが上記棚枠に加わるため、上記２本の縦部材がそれぞれ外側や内側に傾いてしまう恐れがある。そこで上記一対の棚枠には、この一対の棚枠の間隔を保持する保持部材が設けられていることが望ましい。これにより上記２本の縦部材がそれぞれ外側や内側に傾いたりせず、陳列用バーが受け治具から脱落することを防止することができる。
【０００８】
また商品運搬装置に車輪が付いていれば、移動が容易になると共に、陳列用バーが受け治具から外れたり、吊り下げた商品がフックから外れたりする危険性が少なくなる。そこで上記台座には、移動用の車輪を設けることが望ましい。
【０００９】
ここで「縦部材」及び「横部材」には、断面形状が例えば矩形や円柱形の棒材が該当する。
【００１０】
「一対の受け治具」には、各々１個の受け治具が一対の場合に限らず、各々複数個の受け治具が一対の場合も含む。「上方に開口する凹溝」とは、陳列用バーの両端部を、上方から挿入したり上方に抜き出したりできる全ての凹溝の構造を含み、凹溝の長さ、凹溝の断面形状、凹溝と横部材との位置関係を問わない。「上記横部材に回動しないように支持されている」とは、受け治具が横部材を軸として回転しないように支持されていることを意味し、例えば受け治具が横部材に溶接やねじで固定されている場合や、横部材の断面形状が円形以外の矩形等であって、この横部材が受け治具を貫通するようになっている場合が該当する。なお受け治具は、横部材に沿って移動自在であることが望ましい。
【００１１】
そこで上記一対の受け治具は、それぞれ少なくとも２組からなり、上記受け治具は、それぞれ上記横部材に沿って移動自在であることが望ましい。
【００１２】
また上記受け治具は、上記横部材に嵌めた断面コの字形状の嵌合部と、この嵌合部の側面からそれぞれ内方に突設した２本の突状部とで構成されていることが望ましい。
【００１３】
「保持部材」とは、例えば相互に対向する一対の２本の縦部材を、それぞれ連結する２本の棒状の部材や、あるいは受け治具を支持する横部材とは別に、上記一対の２本の縦部材の頂点付近を連結する横部材をそれぞれ設け、この相互に対向する一対の横部材の間を連結する棒状の部材が該当する。
【考案の効果】
【００１４】
本考案における商品運搬装置は、一対の棚枠に立設した２本の縦部材の間に設けた水平な横部材に一対の受け治具を設け、この受け治具をそれぞれ上方に開口する凹溝を有する形状とすることによって、商品を吊り下げたままの状態で、陳列用バーを受け治具に容易に着脱することができる。これにより倉庫等において商品を吊り下げたままの状態で、陳列用バーを商品運搬装置に搭載したり下ろしたりすることが容易になる。また陳列用バーに商品を吊り下げたままの状態で、倉庫等と店頭との間を往復することができる。さらに店頭において、商品を吊り下げたままの陳列用バーを、商品運搬装置から下ろして陳列棚に移動したり、陳列棚から外して商品運搬装置に移動したりすることも、極めて容易となる。したがって開店中であっても効率よく販売する商品を変更したり撤去したりすることができる。
【００１５】
さらに上記一対の受け治具は、それぞれ少なくとも２組からなり、上記受け治具は、それぞれ上記横部材に沿って移動自在であることにより、複数の陳列用バーのみならず、これらの受け治具の上に陳列用棚板を搭載することができる。
【００１６】
また上記受け治具は、上記横部材に嵌めた断面コの字形状の嵌合部と、この嵌合部の側面からそれぞれ内方に突設した２本の突状部とで構成されていることにより、上記受け治具が上記横部材に着脱自在に設けられるばかりでなく、棚枠内の空間を有効に活用して２組の陳列用バーを掛けることができる。
【００１７】
なお上記一対の棚枠には、一対の棚枠の間隔を保持する保持部材が設けられていることにより、上記一対の棚枠の外側や内側への傾きや振動を防止したりすることができる。さらに上記台座に移動用の車輪が設けられていることにより、例えば店員は、店舗内や店舗外の倉庫等の間を往復する際に、商品運搬装置を迅速かつ容易に移動させることができる。
【図面の簡単な説明】
【００１８】
【図１】商品運搬装置の全体構成を示す斜視図である。
【考案を実施するための形態】
【００１９】
図１を参照しつつ、本考案による商品運搬装置の構成及び作用効果を説明する。図１は、商品運搬装置の受け治具に、矩形断面形状の陳列用バーを掛けている状態のイメージを示す。
【００２０】
さて図１に示すとおり、この商品運搬装置は、下部に設置した平坦な台座１と、この台座の両端に設けた一対の棚枠２，２と、この棚枠に着脱自在に設けた一対の受け治具３，３とを備えている。一対の棚枠２，２は、それぞれ台座１の両端の隅に立設した２本の矩形断面形状の縦部材２１，２１と、この２本の縦部材の間で台座１から所定の高さに設けた水平の矩形断面形状の横部材２２，２２とを有する。
【００２１】
なお縦部材２１，２１は、台座１の両端の隅から立設したものに限らず、例えば図１に示すとおり台車１の両端の隅から長手方向に４ｃｍ〜６ｃｍ突出したジョイント部を設け、このジョイント部から立設してもよい。この場合、相互に対向する一対の縦部材２１，２１の間隔が広くなり、陳列用バーを受け治具３，３に置き易くなる。また縦部材２１，２１またはジョイント部は、台座１の両端の隅に設けた貫通孔に着脱自在に差し込むものに限らず、例えば台座１に溶接等で固定したものやネジ等の締め付け具で着脱可能に設けてもよい。
【００２２】
受け治具３は、鉄板またアルミ板から製作され、断面がコの字形状の嵌合部３１と、この嵌合部の側面からそれぞれ内方に突設した２本の突状部３２とで構成されている。嵌合部３１は、矩形断面形状の横部材２２に、上方から着脱自在に嵌合している。これにより、受け治具３は横部材２２に沿って移動自在となると共に、この横部材を軸として回動しないように支持される。また突状部３２は、上方に開口する断面がコの字形状の凹溝３３を有する。
【００２３】
なお一対の受け治具３，３を、それぞれ２組以上にすることにより、これらの一対の２組以上の受け治具３，３の上に、陳列用棚板や箱を搭載することができる。これにより例えば商品を陳列している店頭の陳列棚から、この商品を載せたまま陳列用棚板毎、商品運搬装置に搭載して運搬することができる。また搭載した陳列用棚板や箱に、例えば箱詰めされた商品等を積み込んで、商品運搬装置を移動することができる。また突状部３２は、２本以上としてもよい。突状部３２を２本にすれば、フックに商品を吊り下げた状態の陳列用バーを、商品運搬装置の両側から背中合わせで２組分、それぞれこの突状部に掛けたり外したりすることができるため、棚枠内の空間を有効に活用することができる。
【００２４】
また一対の２本の縦部材２１，２１の間には、受け治具３を設けた横部材２２，２２の上部に、これらとは別の水平の横部材２３，２３が固定されており、この水平の横部材の間には、この水平の横部材をそれぞれ外側から支える支持部４１を有するアルミ材からなる棒状の保持部材４が着脱自在に設けられている。なお保持部材４は、横部材２３，２３に溶接等で固定したり、これらの横部材に溝や孔を設けて、この溝や孔に支持部４１を差し込んだりしてもよい。さらに台車１の裏面の四隅には、移動用の車輪５が設けられている。
【００２５】
このような構成により、一対の棚枠２，２との間に十分な空間を確保でき、フックに商品を吊り下げたまま陳列用バーを受け治具３，３に容易に掛けたり外したりすることができる。さらに矩形の陳列用バーは、一対の受け治具３，３のそれぞれの突状部３２に設けられている上方に開口する凹溝３３に嵌め込まれるため、前後に傾いたりせず安定して掛けることができる。
【００２６】
また保持部材４により一対の棚枠２，２の間隔を保持しているため、例えば陳列用バーを掛けたり外したりするときに横方向に加重が掛かっても、この一対の棚枠が外側に拡がらず、陳列用バーを脱落等から回避することができる。また陳列用バーに吊り下げた商品が重い場合であっても、この一対の棚枠が内側に傾いたりすることを回避することができる。さらに台座１に移動用の車輪５が設けられているため、作業員は店舗内や店舗外の倉庫等へこの商品運搬装置を容易かつ迅速に移動することができる。
【００２７】
したがって、例えば作業員は、開店中に店舗内の商品陳列棚までこの商品運搬装置を移動し、販売中の商品を吊り下げた陳列用バーを受け治具３，３に一時的に掛け、別の商品陳列棚まで移動して空いている突状部３２，３２の凹溝３３，３３に既設の陳列用バーを掛けられるため、陳列用バー毎販売する商品を変更することができる。さらに入荷されたばかりの商品を、倉庫内でこの商品運搬装置に掛けている陳列用バーのフックに吊り下げる作業を行い、この作業が完了した後にこの商品運搬装置毎店舗内に運んで既設の陳列用バー毎販売する商品を変更することができる。
【産業上の利用可能性】
【００２８】
本考案における商品運搬装置は、陳列用バーに吊り下げている商品の変更や撤去等の作業の効率化を図ることができるため、小売業に限らず例えば多種類の部品を扱う製造業に関する産業に広く利用可能である。
【符号の説明】
【００２９】
１        台座
２        棚枠
２１      縦部材
２２      横部材
３        受け治具
３３      凹溝
４        保持部材
５        車輪
【図１】
0003165645.tif 000003